(57)【要約】【課題】  この種の敷設型陶器製タイルにあって、安価に製作すくことができ、しかもベランダの床面に安定良く敷設することができるベランダ用タイルを提案することを目的とするものである。【解決手段】  平面視直角三角形を呈する陶磁器製タイル本体１からなり、該タイル本体１の三隅角裏面に支持脚２ａ，２ｂ，２ｃを一体形成し、該支持脚裏面に滑り止め３を施してなること。【選択図】  図１
2007070976.tif 000002
【特許請求の範囲】
【請求項１】
直角部を挟んで延びる直角部二辺と直角部二辺を結ぶ斜辺とによって平面視直角三角形を呈する陶磁器製タイル本体からなり、該タイル本体の三隅角裏面に支持脚を一体形成し、該支持脚裏面に滑り止めを施してなるベランダ用タイル。
【請求項２】
前記タイル本体は、前記直角部二辺の長さが互いに等しい直角二等辺三角形を呈するように形成されてなる請求項１に記載のベランダ用タイル。
【請求項３】
前記タイル本体は、前記直角部二辺の一方の辺の長さが短く、他方の辺の長さが長くなる直角不等辺三角形を呈するように形成されてなる請求項１に記載のベランダ用タイル。
【請求項４】
前記タイル本体の前記直角部二辺と前記斜辺のそれぞれの表面側周縁の全域を没段条部に形成してなる請求項１〜３の何れかに記載のベランダ用タイル。
【請求項５】
前記没段条部の没段面とタイル本体の表面との境界部分である没段縁はＲ状に形成されてなる請求項４に記載のベランダ用タイル。
【請求項６】
ベランダ床面に、請求項１〜５の何れかに記載のベランダ用タイルを互いに隣接するよう置き並べるようにして敷設する際に、一対のタイルの前記斜辺どうしを互いに対面させて直角四角形に配列し、この状態で各タイルの直角部二辺を対面させるよう配列し、しかして、各タイルの配列周縁部がベランダ床面の周縁部の立ち上がり枠に規制されて敷設されるようになっているベランダ用タイルの敷設方法。
【請求項７】
ベランダ床面に、請求項１〜５の何れかに記載のベランダ用タイルを互いに隣接するよう置き並べるようにして敷設する際に、一対のタイルの前記斜辺どうしを互いに対面させて直角四角形に配列し、この状態で各タイルの直角部二辺を対面させるよう配列し、しかして、各タイルの配列周縁部がベランダ床面の周縁部の立ち上がり枠に規制されて敷設されるに当たって、各タイルＴの配列周縁部の一部が前記立ち上がり枠からはみ出るため、そのはみ出し部分を立ち上がり枠の内壁面に沿って切断することによってそのはみ出し部分裏面の支持脚の何れかが撤去される場合に、はみ出し部分に対応するタイル本体の裏面に支持脚と同じ高さのゴム片やプラスチック片等からなるスペーサーを固着するようにしたベランダ用タイルの敷設方法。
【発明の詳細な説明】
【技術分野】
【０００１】
本発明は、木造やコンクリート建物の階層部分、例えば２階部分に設置されるベランダに用いられる陶磁器製タイルとその敷設方法に関する。
【背景技術】
【０００２】
従来、二階建ての家屋の例えば掃き出し窓に面してベランダが設けられているが、このベランダには、外観上の体裁或いは使用者の足裏の感触を良くするために、最近ではベランダ床面に陶磁器製のタイルが敷設されるようになっている。この陶磁器製のタイルは既設のベランダにも容易に敷設でき、また簡単に撤去することができるように、ベランダ床面に固着することなく多数のタイルが互いに隣接して置き並べられるように敷設される。また、多数のタイルをセメントや接着材等でベランダ床面に接着すると当然にその施工費が高くつくといった問題点もあった。
【０００３】
この種の敷設型のタイルは、平面視直角四角形を呈するタイル本体からなり、このタイル本体の四隅角の裏面に支持脚を設けるようにしたものあるが、陶磁器製タイル本体の四隅角に支持脚を一体形成すると、即ち、四隅角の支持脚がタイル本体と同じ陶磁器製で形成されていると、これを例えばベランダのコンクリート製床面に敷設する場合に、ベランダ床面が正確な平坦面に形成されておらず、少しでも凹凸面に形成されておれば、タイル本体の四隅角の支持脚の全てを正確に接地させることができず、その一部が浮き上がり、タイルの敷設状態にがたつきが発生するといった難点がある。
【０００４】
そこで、従来にあっては、表面側のタイル本体を陶磁器製となし、裏面側のタイル本体を合成樹脂製となし、両者を接着等によって一体的に形成した二重層からなるタイル本体となし、この裏面側の合成樹脂製タイル本体の裏面側に多数の支持脚を一体形成し、タイルをベランダ床面に敷設する際に、合成樹脂特有の弾性によって複数の支持脚の全てが正確に床面に接地し、がたつきの発生を阻止するようにしている。
【発明の開示】
【発明が解決しようとする課題】
【０００５】
上述のように、従来の敷設型陶磁器製タイルは、ベランダの床面に安定良く敷設されるために表面側の陶磁器製タイル本体と裏面側の合成樹脂製タイル本体との二重構造のタイル本体からなるため、当然のことながらその製作費が高くつくと言う問題があり、更に、合成樹脂をタイル本体に用いることは防火性に劣り、また廃棄処分時に大量の合成樹脂材が発生するため、環境破壊につながるという難点がある。
【０００６】
そこで、本発明は、この種の敷設型陶磁器製タイルにあって、安価に製作することができ、防火性に優れ、また環境破壊を起こすことはなく、しかも、ベランダの床面に安定良く敷設することができるベランダ用タイルとその敷設方法を提案することを目的とするものである。
【課題を解決するための手段】
【０００７】
上記の目的を達成するために、請求項１記載の発明に係るベランダ用タイルは、実施形態の参照符号を付して示すと、直角部θを挟んで延びる直角部二辺４ａ，４ｂと直角部二辺４ａ，４ｂを結ぶ斜辺４ｃとによって平面視直角三角形を呈する陶磁器製タイル本体１からなり、該タイル本体１の三隅角裏面に支持脚２ａ，２ｂ，２ｃを一体形成し、該支持脚裏面に滑り止めを施してなる構成からなるものである。
【０００８】
また、請求項２記載の発明に係るベランダ用タイルは、前記タイル本体１は、前記直角部二辺４ａ，４ｂの長さが互いに等しい直角二等辺三角形を呈するように形成されてなる請求項１に記載の構成からなるものである。
【０００９】
また、請求項３記載の発明に係るベランダ用タイルは、前記タイル本体１は、前記直角部二辺４ａ，４ｂの一方の辺４ａの長さが短く、他方の辺４ｂの長さが長くなる直角不等辺三角形を呈するように形成されてなる請求項１に記載の構成からなるものである。
【００１０】
また、請求項４記載の発明に係るベランダ用タイルは、前記タイル本体１の前記直角部二辺４ａ，４ｂと前記斜辺４ｃのそれぞれの表面側周縁の全域を没段条部５に形成してなる請求項１〜３の何れかに記載の構成からなるものである。
【００１１】
また、請求項５記載の発明に係るベランダ用タイルは、前記没段条部５の没段面５ａとタイル本体１の表面１ａとの境界部分である没段縁５ｂはＲ状に形成されてなる請求項４に記載の構成からなるものである。
【００１２】
また、請求項６記載の発明に係るベランダ用タイルの敷設方法は、ベランダ床面６に、請求項１〜５の何れかに記載のベランダ用タイルＴを互いに隣接するよう置き並べるようにして敷設する際に、各タイルＴの前記斜辺４ｃ，４ｃどうしを互いに対面させて直角四角形に配列し、この状態で各タイルＴの直角部二辺４ａ，４ｂ（又は４ａ，４ａ或いは４ｂ，４ｂ）を対面させるよう配列し、しかして、各タイルＴの配列周縁部がベランダ床面６の周縁部の立ち上がり枠１３ａに規制されて敷設されるようになっている構成からなるものである。
【００１３】
また、請求項７記載の発明に係るベランダ用タイルの敷設方法は、ベランダ床面６に、請求項１〜５の何れかに記載のベランダ用タイルＴを互いに隣接するよう置き並べるようにして敷設する際に、各タイルＴの前記斜辺４ｃ，４ｃどうしを互いに対面させて直角四角形に配列し、この状態で各タイルＴの直角部二辺４ａ，４ｂを対面させるよう配列し、しかして、各タイルＴの配列周縁部がベランダ床面６の周縁部の立ち上がり枠１３ａに規制されて敷設されるに当たって、各タイルＴの配列周縁部の一部が前記立ち上がり枠１
３ａからはみ出るため、そのはみ出し部分を立ち上がり枠１３ａの内壁面に沿って切断することによってそのはみ出し部分支持脚２ａ，２ｂ，２ｃの何れかが撤去される場合に、はみ出し部分に対応するタイル本体１の裏面に支持脚２ａ，２ｂ，２ｃと同じ高さの金属片やプラスチック片等からなるスペーサー１７を固着して、各タイルＴをベランダ床面６に敷設するようにした構成からなるものである。
【発明の効果】
【００１４】
請求項１記載の発明に係るベランダ用タイルによれば、タイル本体１が直角部θを挟んで延びる直角部二辺４ａ，４ｂと直角部二辺４ａ，４ｂを結ぶ斜辺４ｃとによって平面視直角三角形を呈し、その三隅角裏面に支持脚２ａ，２ｂ，２ｃを一体形成し、該支持脚２ａ，２ｂ，２ｃが所謂三点支持構造からなっているため、タイルが敷設されるベランダの床面が多少凹凸面を呈していても、安定良くタイルをベランダ床面に敷設することができる。これがために、タイル本体１とこの三隅角裏面に形成される支持脚２ａ，２ｂ，２ｃを陶磁器製タイルとして一体形成することができ、従来の二重層構造からなる敷設型タイルに比べて格段に安価に製作することができる。また、タイル本体１裏面の三隅角にのみ支持脚２ａ，２ｂ，２ｃが設けられるだけであるから、支持脚２ａ，２ｂ，２ｃの対向間隙からの排水を円滑に行うことができる。
【００１５】
また、タイル本体１が平面視直角三角形を呈しているため、一対のタイル本体１，１の斜辺周縁４ｃ，４ｃどおしを隣接配置させることによって直角四角形のタイル本体となり、従来の直角四角形のタイルと同じようにベランダ床面に整正良く且つ容易に敷設することができる。
【００１６】
また、タイル本体１の三隅角裏面に一体形成した支持脚２ａ，２ｂ，２ｃの裏面には滑り止め３を施してなるため、該滑り止め３がベランダ床面に設けている防水シートに係合し、タイルを動揺することなく安定してベランダ床面に敷設することができる。
【００１７】
請求項２記載の発明に係るベランダ用タイルによれば、前記タイル本体１は、前記直角部二辺４ａ，４ｂの長さが互いに等しい直角二等辺三角形を呈するように形成されてなるため、一対のタイル本体１，１の斜辺周縁４ｃ，４ｃどおしを隣接配置させることによって正四角形のタイル本体となり、従来の正四角形のタイルと同じようにベランダ床面に整正良く且つ容易に敷設することができる。また、各タイルの敷設により、一対のタイル本体１，１の斜辺４ｃ，４ｃと、前記直角部二等辺４ａ，４ｂとによって一種のモザイク模様を呈することができデザイン的にも優れたタイル面を形成することができる。
【００１８】
また、請求項３記載の発明に係るベランダ用タイルによれば、前記タイル本体１は、前記直角部二辺４ａ，４ｂの一方の辺４ａの長さが短く、他方の辺４ｂの長さが長くなる直角不等辺三角形を呈するように形成されてなるため、一対のタイル本体１，１の斜辺周縁４ｃ，４ｃどおしを隣接配置させることによって直角四角形のタイル本体となり、従来の直角四角形のタイルと同じようにベランダ床面に整正良く且つ容易に敷設することができる。また、各タイルの敷設により、一対のタイル本体１，１の斜辺４ｃ，４ｃと、前記直角部二辺４ａ，４ｂとによって一種のモザイク模様を呈することができデザイン的にも優れたタイル面を形成することができる。なお、現場での視覚的には、前記直角部二辺が等しい場合よりも、何れかが短く、他方が長い直角部二辺からなることによって、より優れたモザイク模様を呈し、デザイン的にもより優れたものとなっている。
【００１９】
また、請求項４記載の発明に係るベランダ用タイルによれば、前記タイル本体１の前記直角部二辺４ａ，４ｂと前記斜辺４ｃのそれぞれの表面側周縁の全域を没段条部５に形成してなるため、多数のタイルを互いのタイル本体１の前記斜辺４ｃどうしを隣接配置し、且つ互いの直角部二辺４ａ，４ｂどうしを隣接配置するようにベランダ床面に敷設することによって、各タイル本体１の互いに対向する一対の没段条部５，５が一種の目地のような外観を呈して体裁がよく、また一対の没段条部５，５が使用者の足が床面を滑らないようにする滑り止め作用をも発揮する。
【００２０】
さらに、請求項５記載の発明に係るベランダ用タイルによれば、没段条部５の没段面５ａとタイル本体１の表面１ａとの境界部分である没段縁５ｂは、図８に示すようにＲ状に形成されるため、上述のように滑り止め作用は発揮するが、それ以上に足裏に苦痛を与えるような引っ掛かり作用を持たせることはなく足裏に感触よく接触させることができる。特に、図８の仮想線に示すように互いに隣合う没段条部５，５に若干の段差ａが発生して、詳細には没段条部５の鋭角な端縁５ｃ，５ｃどうしに段差ａが発生しても、その段差ａの部分に使用者の足裏が苦痛を与える程度に接触することはなく、したがって、互いの隣接する没段条部５，５どうしに若干の段差ａが発生しても、タイル上を歩行する使用者に苦痛を与えることなく快適に使用することができる。
【００２１】
さらに、請求項６記載の発明に係るベランダ用タイルの敷設方法によれば、ベランダ床面６に互いに多数のタイルＴが隣接するよう置き並べるようして敷設される。その際に、その配列状態は、図５に示すように、各タイルＴの斜辺４ｃ，４ｃどうしが互いに対面するようにすることによって、一対のタイルＴ，Ｔによって直角四角形に配列されることになり、一対のタイルよって形成されるタイル配列が全て同じ大きさの直角四角形からなるため、配列された多数のタイルＴの奥行き幅と左右幅を正確に取り出すことができ、それがためにベランダ床面６の立ち上がり枠１３ａに規制されて正確に且つ容易に敷設されることになる。
【００２２】
さらに、請求項７記載の発明に係るベランダ用タイルの敷設方法によれば、配列された多数のタイルＴの一部がベランダ床面６の立ち上がり枠１３ａからはみ出る場合があり、このため、はみ出し部分を立ち上がり枠１３ａの内壁面に沿って作業現場で切断することになる。このようにタイル本体１の一部が切断されると、その切断された部分の裏面側に設けられている支持脚２ａ，２ｂ，２ｃの何れかも撤去されることになり、タイルＴを敷設することができない事態が発生する。そのような場合には、タイル本体１のはみ出した部分に対応するタイル本体１の裏面に支持脚２ａ，２ｂ，２ｃの何れかに代わって支持脚２ａ，２ｂ，２ｃと同じ高さのゴム片やプラスチック片等からなるスペーサー１７を接着剤等を用いて固着し、これを支持脚２ａ，２ｂ，２ｃ代わりに使用することによって各タイルＴを安定良くベランダ床面６に敷設することができる。
【発明を実施するための最良の形態】
【００２３】
図１は本発明の一実施形態におけるベランダ用タイルＴの斜視図、図２は同平面図、図３は同裏面図、図４は同側面図である。ベランダ用タイルＴは、図示のように周縁部が直角二等辺周縁４ａ，４ｂ及び直角二等辺周縁を結ぶ斜辺周縁４ｃに形成されて平面視直角二等辺三角形を呈した陶磁器製タイル本体１と、その三隅角裏面に一体形成した陶磁器製の支持脚２ａ，２ｂ，２ｃと、各支持脚２ａ，２ｂ，２ｃの裏面に施された滑り止め３とからなる。支持脚２ａは、タイル本体１の直角縁を頂点とした裏面視直角二等辺三角形に、支持脚，２ｂ及び２ｃはタイル本体１の４５度縁を頂点とした裏面視直角二等辺三角形に形成されており、このように形成することによって互いのタイルＴを安定よく均一にベランダ床面に敷設することができるが、勿論この形状に限定されることはない。
【００２４】
そして、タイル本体１の表面１ａ側の直角二等辺周縁４ａ，４ｂ及び直角二等辺周縁を結ぶ斜辺周縁４ｃに沿う全域を没段条部５に形成している。
【００２５】
以上の構造からなるベランダ用タイルＴの寸法の一例を述べると、タイル本体１の厚みは１２ｍｍ〜１８ｍ、タイル本体１の直角部二辺４ａ，４ｂの長さは１９０ｍｍ〜３２０ｍｍ、各支持脚２ａ，２ｂ，２ｃの高さは５ｍｍ〜１０ｍｍ、没段条部５の没段量は２ｍｍ程度、その没段面５ａの平面幅は５ｍｍ程度が好ましい。
【００２６】
図５〜図７は、ベランダ用タイルＴのベランダ床面６への敷設状態を示すもので、そのうち、図５は平面図、図６は縦断側面図、図７は要部拡大正面図である。図５及び図６に示すように、室内側の建物躯体７に設けた掃き出し窓８の室外側にベランダ９が設置される。ベランダ９は、ベランダ床面６とその周囲に立設された手摺１０とからなり、ベランダ床面６は、図６に示すように、例えば、室外側の建物躯体１１に適宜設けた根太枠１２と、その上面に設けたコンクリートまたは硬質合成樹脂製の舟型底枠１３と、この上面に張設した防水シート１３とからなる。
【００２７】
ベランダ用タイルＴは、舟型底枠１３に防水シート１４を介して敷設されることになるが、この陶器製のタイルＴは既設のベランダ９にも容易に敷設でき、また簡単に撤去することができるように、ベランダ床面６に固着することなく多数のタイルＴが互いに隣接するよう置き並べるようして敷設される。その際に、その配列状態は、図５に示すように、各タイルＴの斜辺４ｃ，４ｃどうしが互いに対面するよう配置することによって、一対のタイルＴ，Ｔによって正四角形に配列されることになり、デザイン的に優れたモザイク模様を呈するタイル面に形成することができ、この状態で各タイルＴの直角二等辺周縁４ａ，４ｂが対面するように舟型底枠１３に敷設されることによって、各タイルＴは舟型底枠１３の立ち上がり枠１３ａに規制されて正確に且つ容易に敷設されることになる。
【００２８】
図７は、各タイルＴのベランダ床面６への敷設状態の要部を示すもので、各タイル本体１が並列状態に敷設されることによって、タイル本体１の支持脚２ａ，２ｂ，２ｃ裏面に施された滑り止め３が防水シート１４に係合して、各タイル本体１を動揺することなく敷設することができるが、この滑り止め３としては、図９ａに示すようにスパイク状の小突起３ａや、図９ｂに示すようなギザギザ状の凹凸面３ｂ等によって形成される。
【００２９】
各タイルＴをベランダ床面６に敷設することによって、タイル本体１の表面１ａ側の直角二等辺４ａ，４ｂ及び直角二等辺を結ぶ斜辺４ｃに沿う周縁全域を没段条部５に形成してなるため、多数のタイルを互いのタイル本体１の斜辺周縁４ｃどうしが隣接配置され、且つ互いの直角二等辺周縁４ａ，４ｂどうしが隣接されることによって、各タイル本体１の互いに対向する一対の没段条部５，５が一種の目地のような外観を呈して体裁がよく、また一対の没段条部５，５が使用者の足が床面を滑らないようにする滑り止め作用も発揮する。
【００３０】
更に、没段条部５の没段面５ａとタイル本体１の表面１ａの境界部分である没段縁５ｂは、図８に示すようにＲ状（アール状）に形成されるため、上述のように滑り止め作用は発揮するが、それ以上に足裏に苦痛を与えるような引っ掛かり作用を持たせることはなく足裏に感触よく接触させることができる。特に、図８の仮想線に示すように互いに隣合う没段条部５，５に若干の段差ａが発生して、詳細には没段条部５の鋭角な端縁５ｃ，５ｃどうしに段差ａが発生しても、その段差ａの部分に使用者の足裏が苦痛を与える程度に接触することはなく、したがって、互いの隣接する没段条部５，５どうしに若干の段差ａが発生しても、タイル上を歩行する使用者に苦痛を与えることなく快適に使用することができる。
【００３１】
また、各タイルＴの対面境界は固着されることなく単に当接しているだけであるから、各タイルＴの表面１ａに滞留する雨水等は、各タイルＴの対面境界にできる隙間ｃからタイルＴの裏面１ｂ側に流通し、支持脚２ａ，２ｂ，２ｃ間を通って、舟型底枠１３に設けた排水溝１５と排水樋１６（図６）から外部に円滑に排水することができる。
【００３２】
ところで、上記実施形態のように、多数の各タイルＴがベランダ床面６の舟型底枠１３の立ち上がり枠１３ａに正確に規制されて納まるように敷設される場合は支障をきたさないが、図１０に示すように、多数の各タイルＴをベランダ床面６の舟型底枠１３に敷設するに当たって、例えば正面側或いは側面側の多数のタイルＴが舟型底枠１３の立ち上がり枠１３ａからはみ出る場合があり、このため、正面側或いは側面側に面するタイルＴのタイル本体１はみ出し部分を立ち上がり枠１３ａの内壁面に沿って作業現場で切断することになる。このようにタイル本体１の一部が切断されると、その切断された部分の裏面側に設けられている支持脚２ａ，２ｂ，２ｃの何れかも撤去されることになり、タイルＴを敷設することができない事態が発生する。そのような場合には、図１１に示すように、タイル本体１のはみ出した部分に対応するタイル本体１の裏面に支持脚２ａ，２ｂ，２ｃの何れかに代わって支持脚２ａ，２ｂ，２ｃと同じ高さの金属片やプラスチック片等からなるスペーサー１７を接着剤等を用いて固着し、これを支持脚２ａ，２ｂ，２ｃ代わりに使用することによって、各タイルＴを安定良くベランダ床面６に敷設することができる。
【００３３】
図１２は、本発明の他の実施形態のベランダ用タイルＴを示すもので、前記実施形態にあっては、直角部二辺が等しい平面視直角二等辺三角形を呈するタイルＴからなっているが、この実施形態にあっては、直角部二辺４ａ，４ｂのうち、その一辺４ａが短く、他の辺４ｂが長い平面視直角不等辺三角形を呈するタイルＴからなっている。他の構造については、前記実施形態と同じであるから同様の符号を付してその説明を省略する。なお、直角部二辺４ａ，４ｂの長さは、前記実施形態とおなじように、１９０ｍｍ〜３２０ｍｍの長さの範囲で、一辺を１とすれば、他の辺を１．５〜２等などの割合で形成すればよい。他の厚み等は前記実施形態と同じである。
【００３４】
この実施形態にあっても、図１３に示すように、タイルＴは、舟型底枠１３に防水シート１４を介して敷設されることになるが（図６参照）、この陶磁器製のタイルＴも同様に既設のベランダ９にも容易に敷設でき、また簡単に撤去することができるように、ベランダ床面６に固着することなく多数のタイルＴが互いに隣接するよう置き並べるようして敷設される。その際に、その配列状態は、各タイルＴの斜辺４ｃ，４ｃどうしが互いに対面するよう配置することによって、一対のタイルＴ，Ｔによって直方直角四角形に配列されることになり、デザイン的に優れたモザイク模様を呈するタイル面に形成することができ、この状態で各タイルＴの直角部二辺４ａ，４ｂが対面するように舟型底枠１３に敷設されることによって、各タイルＴは舟型底枠１３の立ち上がり枠１３ａに規制されて正確に且つ容易に敷設されることになる。
【図面の簡単な説明】
【００３５】
【図１】本発明の一実施形態のベランダ用タイルの斜視図である。
【図２】同平面図である。
【図３】同裏面図である。
【図４】同側面図である。
【図５】ベランダ用タイルのベランダ床面への敷設状態を示す平面図である。
【図６】同縦断側面図である。
【図７】同要部拡大正面図である。
【図８】タイルの対面境界の拡大断面図である。
【図９】図９ａ、図９ｂは支持脚裏面に設ける滑り止めの一実施形態である。
【図１０】ベランダ用タイルをベランダ床面に敷設する場合の他の実施形態を示す平面図である。
【図１１】同要部の説明用拡大図である。
【図１２】本発明の他の実施形態のベランダ用タイルの斜視図である。
【図１３】同ベランダ用タイルのベランダ床面への敷設状態を示す平面図である。
【符号の説明】
【００３６】
１    陶器製タイル本体
２ａ  支持脚
２ｂ  支持脚
２ｃ  支持脚
３    滑り止め
４ａ  直角部辺
４ｂ  直角部辺
４ｃ  斜辺周縁
５    没段条部
６    ベランダ床面
１７  スペーサー
【図１】
2007070976.tif 000003
【図２】
2007070976.tif 000004
【図３】
2007070976.tif 000005
【図４】
2007070976.tif 000006
【図５】
2007070976.tif 000007
【図６】
2007070976.tif 000008
【図７】
2007070976.tif 000009
【図８】
2007070976.tif 000010
【図９】
2007070976.tif 000011
【図１０】
2007070976.tif 000012
【図１１】
2007070976.tif 000013
【図１２】
2007070976.tif 000014
【図１３】
2007070976.tif 000015
【手続補正書】
【提出日】平成17年9月13日(2005.9.13)
【手続補正１】
【補正対象書類名】明細書
【補正対象項目名】００３２
【補正方法】変更
【補正の内容】
【００３２】
ところで、上記実施形態のように、多数の各タイルＴがベランダ床面６の舟型底枠１３の立ち上がり枠１３ａに正確に規制されて納まるように敷設される場合は支障をきたさないが、図１０に示すように、多数の各タイルＴをベランダ床面６の舟型底枠１３に敷設するに当たって、例えば正面側或いは側面側の多数のタイルＴが舟型底枠１３の立ち上がり枠１３ａからはみ出る場合があり、このため、正面側或いは側面側に面するタイルＴのタイル本体１はみ出し部分を立ち上がり枠１３ａの内壁面に沿って作業現場で切断することになる。このようにタイル本体１の一部が切断されると、その切断された部分の裏面側に設けられている支持脚２ａ，２ｂ，２ｃの何れかも撤去されることになり、タイルＴを敷設することができない事態が発生する。そのような場合には、図１１に示すように、タイル本体１のはみ出した部分に対応するタイル本体１の裏面に支持脚２ａ，２ｂ，２ｃの何れかに代わって支持脚２ａ，２ｂ，２ｃと同じ高さのゴム片やプラスチック片等からなるスペーサー１７を接着剤等を用いて固着し、これを支持脚２ａ，２ｂ，２ｃ代わりに使用することによって、各タイルＴを安定良くベランダ床面６に敷設することができる。
【手続補正２】
【補正対象書類名】図面
【補正対象項目名】図５
【補正方法】変更
【補正の内容】
【図５】
2007070976.tif 000016